(57)【要約】【課題】監視者から被監視者が視認可能である一方、被監視者間は視認不能であり、かつ、監視者視認可能状態と監視者視認不能状態とが切り替え可能な監視室用窓板ユニットを提供する。【解決手段】監視室用窓板ユニット１は、監視室Ｂと第１の被監視室Ａとの間に設置される第１の窓板１０ａと、監視室Ｂと第２の被監視室Ｃとの間に設置され、第１の窓板１０ａと対向する第２の窓板１０ｂとを備える監視室用窓板ユニットである。第１の窓板１０ａは、第１の窓板本体１１ａと、第１の窓板本体１１ａに設けられた第１の偏光層１３ａ及び第１のハーフミラー層１２ａとを有する。第２の窓板１０ｂは、第２の窓板本体１１ｂと、第２の窓板本体１１ｂに設けられており、第１の偏光層１３ｂと偏光方向が直交する第２の偏光層１３ｂ及び第２のハーフミラー層１２ｂとを有する。【選択図】図１
2012085946.tif 000002
【特許請求の範囲】
【請求項１】
監視室と、前記監視室を挟んで対向する第１及び第２の被監視室とが設けられた施設において、前記監視室と前記第１の被監視室との間に設置される第１の窓板と、前記監視室と前記第２の被監視室との間に設置され、前記第１の窓板と対向する第２の窓板とを備える監視室用窓板ユニットであって、
前記第１の窓板は、第１の窓板本体と、前記第１の窓板本体に設けられた第１の偏光層及び第１のハーフミラー層とを有し、
前記第２の窓板は、第２の窓板本体と、前記第２の窓板本体に設けられており、前記第１の偏光層と偏光方向が直交する第２の偏光層及び第２のハーフミラー層とを有する、監視室用窓板ユニット。
【請求項２】
前記第１及び第２の窓板のそれぞれの波長３８０ｎｍ〜７８０ｎｍにおける平均光透過率が１０％〜４０％の範囲内にあり、前記第１及び第２の窓板の前記第１または第２のハーフミラー層側から視たときの波長３８０ｎｍ〜７８０ｎｍにおける平均光反射率が２０％〜８０％の範囲内にある、請求項１に記載の監視室用窓板ユニット。
【請求項３】
前記第１及び第２の窓板本体のそれぞれは、鉛含有ガラスにより形成されている、請求項１または２に記載の監視室用窓板ユニット。
【請求項４】
前記第１及び第２の窓板のそれぞれは、前記第１または第２の窓板本体の少なくとも一方側の表面を覆う保護層をさらに備える、請求項１〜３のいずれか一項に記載の監視室用窓板ユニット。
【請求項５】
前記第１及び第２の窓板本体のそれぞれの一方の表面の上に前記第１または第２のハーフミラー層が形成されており、他方の表面の上に前記保護層が設けられている、請求項４に記載の監視室用窓板ユニット。
【請求項６】
前記第１及び第２のハーフミラー層のそれぞれは、屈折率が相対的に低い低屈折率誘電体層と、屈折率が相対的に高い高屈折率誘電体層とが交互に積層されてなる、請求項１〜５のいずれか一項に記載の監視室用窓板ユニット。
【請求項７】
前記第１及び第２の窓板のそれぞれは、前記第１または第２のハーフミラー層側が前記第１または第２の被監視室側を向くように設置される、請求項１〜６のいずれか一項に記載の監視室用窓板ユニット。
【発明の詳細な説明】
【技術分野】
【０００１】
本発明は、監視室用窓板ユニットに関する。特に、本発明は、監視室と、監視室を挟んで対向する第１及び第２の被監視室とが設けられた施設において、監視室と第１の被監視室との間に設置される第１の窓板と、監視室と第２の被監視室との間に設置され、第１の窓板と対向する第２の窓板とを備える監視室用窓板ユニットに関する。
【背景技術】
【０００２】
例えばレントゲンやマンモグラフィーなどのＸ線を利用した検査を行う医療施設においては、検査を行う検査者の被爆を最小限に抑える必要がある。このため、検査者が駐在する監視室と被監視室としての検査室との間に設けられた窓に、Ｘ線を透過させない窓板を配置することが提案されている。
【０００３】
例えば下記の特許文献１では、２つの検査室を監視室を介して対向するように設け、各検査室と監視室との間に、Ｘ線を透過させない窓板を配置することが提案されている。また、そのＸ線を透過させない２枚の窓板のそれぞれに、偏光方向が直交するように偏光フィルムを貼着することが提案されている。このようにすることにより、監視室から各被監視室が視認可能であり、各被監視室から監視室が視認可能である一方、一方側の被監視室から他方側の被監視室が視認不能となる。このため、被監視者間が顔を合わせることなく、被監視者から監視者が視認可能となる。よって、被監視者のプライベートを保護しつつ、被監視者の孤独感や不安感を抑制することができる。
【先行技術文献】
【特許文献】
【０００４】
【特許文献１】特開２００９−８４４５号公報
【発明の概要】
【発明が解決しようとする課題】
【０００５】
ところで、監視内容によっては、被監視者側から監視者が視認可能である状態（以下、「監視者視認可能状態」とする。）と、被監視者側から監視者が視認不能である状態（以下、「監視者視認不能状態」とする。）とを切り替える必要がある場合がある。
【０００６】
しかしながら、上記特許文献１に記載のように両窓板に偏光方向が直交するように偏光フィルムを貼着したのみでは、監視者視認可能状態と監視者視認不能状態とを切り替えることができない。
【０００７】
本発明は、係る点に鑑みてなされたものであり、その目的は、監視者から被監視者が視認可能である一方、被監視者間は視認不能であり、かつ、監視者視認可能状態と監視者視認不能状態とが切り替え可能な監視室用窓板ユニットを提供することにある。
【課題を解決するための手段】
【０００８】
本発明に係る監視室用窓板ユニットは、監視室と、監視室を挟んで対向する第１及び第２の被監視室とが設けられた施設において、監視室と第１の被監視室との間に設置される第１の窓板と、監視室と第２の被監視室との間に設置され、第１の窓板と対向する第２の窓板とを備える監視室用窓板ユニットである。第１の窓板は、第１の窓板本体と、第１の窓板本体に設けられた第１の偏光層及び第１のハーフミラー層とを有する。第２の窓板は、第２の窓板本体と、第２の窓板本体に設けられており、第１の偏光層と偏光方向が直交する第２の偏光層及び第２のハーフミラー層とを有する。
【０００９】
本発明に係る監視室用窓板ユニットにおいては、偏光方向が互いに直交する第１及び第２の偏光層が設けられている。このため、第１の被監視室から第２の被監視室は視認不能である。第２の被監視室からは、第１の被監視室は視認不能である。また、第１及び第２の窓板のそれぞれにハーフミラー層が設けられている。このため、監視室の照明を暗くすることにより、第１及び第２の被監視室のそれぞれから監視室が視認不能になる。一方、監視室の照明を明るくすることにより、第１及び第２の被監視室のそれぞれから監視室が視認可能となる。このように、本発明によれば、被監視者間は常に視認不能でありつつ、監視者視認可能状態と監視者視認不能状態とを切り替えることができる。
【００１０】
なお、本発明において、「ハーフミラー層」とは、可視波長域（波長３８０ｎｍ〜７８０ｎｍ）における平均光透過率が２０％〜８０％であり、かつ、平均光反射率が２０％〜８０％である層のことをいう。
【００１１】
本発明に係る監視室用窓板ユニットでは、第１及び第２の窓板のそれぞれの波長３８０ｎｍ〜７８０ｎｍにおける平均光透過率が１０％〜４０％の範囲内にあり、第１及び第２の窓板の第１または第２のハーフミラー層側から視たときの波長３８０ｎｍ〜７８０ｎｍにおける平均光反射率が２０％〜８０％の範囲内にあることが好ましい。この構成によれば、監視室を暗くしたときに監視者が視認されることをより効果的に抑制することができる。
【００１２】
本発明に係る監視室用窓板ユニットでは、第１及び第２の窓板本体のそれぞれは、鉛含有ガラスにより形成されていることが好ましい。この場合、第１及び第２の窓板本体にＸ線遮蔽性を付与することができる。従って、本発明に係る監視室用窓板ユニットを、Ｘ線を用いた検査などに使用した際に、監視室内の監視者が被爆することを抑制することができる。なお、この構成では、第１及び第２の窓板のそれぞれが、第１または第２の窓板本体の少なくとも一方側の表面を覆う保護層をさらに備えることが好ましい。第１及び第２の窓板本体の表面に曇りが発生することを抑制できるためである。さらには、第１及び第２の窓板本体のそれぞれの一方の表面の上に第１または第２のハーフミラー層が形成されており、他方の表面の上に保護層が設けられていることが好ましい。その場合、第１及び第２の窓板本体の両表面のそれぞれにおいて、曇りが発生することを抑制することができる。
【００１３】
本発明に係る監視室用窓板ユニットでは、第１及び第２のハーフミラー層のそれぞれは、屈折率が相対的に低い低屈折率誘電体層と、屈折率が相対的に高い高屈折率誘電体層とが交互に積層されてなるものであることが好ましい。この場合、第１及び第２の窓板の美観性を高めることができる。
【００１４】
本発明に係る監視用窓板ユニットは、第１及び第２の窓板のそれぞれが第１または第２のハーフミラー層側が第１または第２の被監視室側を向くように設置されるものであることが好ましい。
【発明の効果】
【００１５】
本発明によれば、監視者から被監視者が視認可能である一方、被監視者間は視認不能であり、かつ、監視者視認可能状態と監視者視認不能状態とが切り替え可能な監視室用窓板ユニットを提供することができる。
【図面の簡単な説明】
【００１６】
【図１】第１の実施形態における監視室用窓板ユニットの模式図である。
【図２】第１の窓板の略図的断面図である。
【図３】第２の窓板の略図的断面図である。
【図４】ハーフミラー層の略図的断面図である。
【図５】第２の実施形態における第１の窓板の略図的断面図である。
【図６】第３の実施形態における第１の窓板の略図的断面図である。
【発明を実施するための形態】
【００１７】
以下、本発明を実施した好ましい形態の一例について説明する。但し、以下の実施形態は単なる一例である。本発明は、以下の実施形態に何ら限定されない。
【００１８】
（第１の実施形態）
図１は、本実施形態における監視室用窓板ユニット１の模式図である。監視室用窓板ユニット１は、監視室Ｂと、監視室Ｂを挟んで対向する第１及び第２の被監視室Ａ，Ｃとが設けられた施設に用いられる。本実施形態では、監視室用窓板ユニット１を、Ｘ線を用いたレントゲンやマンモグラフィーなどの検査をするための施設に用いる例について説明するが、監視室用窓板ユニット１は、他の種類の施設にも好適に使用することができる。監視室用窓板ユニット１は、例えば、Ｘ線を使用しない動物監視用の飼育施設などにも使用することができる。
【００１９】
監視室用窓板ユニット１は、第１及び第２の窓板１０ａ、１０ｂを備えている。第１の窓板１０ａは、監視室Ｂと第１の被監視室Ａとの間に設置されている。第２の窓板１０ｂは、監視室Ｂと第２の被監視室Ｃとの間に設置されている。第１の窓板１０ａと、第２の窓板１０ｂとは対向している。
【００２０】
図２は、第１の窓板１０ａの略図的断面図である。図３は、第２の窓板１０ｂの略図的断面図である。図２及び図３に示すように、第１及び第２の窓板１０ａ、１０ｂのそれぞれは、窓板本体１１ａ、１１ｂを有する。窓板本体１１ａ、１１ｂは、ガラスにより形成されている。具体的には、窓板本体１１ａ、１１ｂは、鉛含有ガラスにより形成されている。このため、窓板本体１１ａ、１１ｂは、Ｘ線遮蔽能を有する。従って、被監視室Ａ，Ｃから監視室ＢにＸ線が漏洩することを抑制できる。その結果、監視室Ｂ内の監視者が被爆することを抑制することができる。監視室Ｂ内の監視者の被爆をより効果的に抑制する観点からは、窓板本体１１ａ、１１ｂは、ＰｂＯを５０質量％以上含むことが好ましい。なお、窓枠本体１１ａ、１１ｂを構成するガラスは、特に限定されず、例えば、硼酸塩系ガラスであってもよいし、硼珪酸塩系ガラスであってもよい。
【００２１】
なお、窓板本体１１ａ、１１ｂは、１枚のガラス板により構成されていてもよいし、積層された複数枚のガラス板により構成されていてもよい。
【００２２】
窓板本体１１ａ、１１ｂの第１または第２の被監視室Ａ，Ｃ側の表面の上には、ハーフミラー層１２ａ、１２ｂが形成されている。ハーフミラー層１２ａ、１２ｂは、例えばＴｉなどの金属薄膜を有するものであってもよい。
【００２３】
本実施形態では、図４に示すように、ハーフミラー層１２ａ、１２ｂは、屈折率が相対的に低い低屈折率誘電体層２０Ｌ１，２０Ｌ２と、屈折率が相対的に高い高屈折率誘電体層２０Ｈ１〜２０Ｈ３とが交互に積層されてなる誘電体多層膜２０により構成されている。低屈折率誘電体層２０Ｌ１，２０Ｌ２は、例えば酸化ケイ素などにより形成することができる。高屈折率誘電体層２０Ｈ１〜２０Ｈ３は、例えば酸化チタン、酸化ニオブ、酸化ランタン、酸化タンタル、酸化ジルコン等によって形成することができる。
【００２４】
なお、図４では、低屈折率誘電体層２０Ｌ１，２０Ｌ２が２層設けられており、高屈折率誘電体層２０Ｈ１〜２０Ｈ３が３層設けられているが、本発明においては、低屈折率誘
電体層と高屈折率誘電体層とのそれぞれの枚数は、特に限定されない。低屈折率誘電体層と高屈折率誘電体層とは、例えば１層ずつ設けられていてもよいし、２枚以上ずつ設けられていてもよい。
【００２５】
低屈折率誘電体層と高屈折率誘電体層とは、屈折率が、０．５以上異なるものであることが好ましい。
【００２６】
窓板本体１１ａ、１１ｂのそれぞれの監視室Ｂ側の表面の上には、偏光層１３ａ、１３ｂが形成されている。偏光層１３ａ、１３ｂは、窓板本体１１ａ、１１ｂと接着剤層１４ａ、１４ｂにより粘着している。偏光層１３ａの偏光方向と、偏光層１３ｂの偏光方向とは直交している。
【００２７】
第１及び第２の窓板１０ａ、１０ｂのそれぞれの波長３８０ｎｍ〜７８０ｎｍにおける平均光透過率が、１０％〜４０％の範囲内にあることが好ましく、１５％〜３５％の範囲内にあることがより好ましい。第１及び第２の窓板１０ａ、１０ｂの第１または第２のハーフミラー層１２ａ、１２ｂ側から視たときの波長３８０ｎｍ〜７８０ｎｍにおける平均光反射率が２０％〜８０％の範囲内にあることが好ましく、３０％〜７０％の範囲内にあることがより好ましい。
【００２８】
次に、図１に示す医療設備の使用方法について説明する。まず、監視室Ｂの監視者から被監視室Ａ，Ｃのそれぞれの被監視者が視認可能であり、かつ被監視室Ａ，Ｃのそれぞれの被監視者から監視室Ｂの監視者が視認可能である状態とする場合（監視者視認可能状態）について説明する。
【００２９】
監視者視認可能状態にするには、被監視室Ａ，Ｃ及び監視室Ｂのそれぞれの照明を明るくする。この状態では、被監視室Ａの光の一部は、ハーフミラー層１２ａにより被監視室Ａ側に反射され、一部は、ハーフミラー層１２ａ及び偏光層１３ａを透過して監視室Ｂに至る。このため、監視室Ｂの監視者は、被監視室Ａの被監視者を視認することができる。同様に、監視室Ｂの監視者は、被監視室Ｃの被監視者を視認することができる。
【００３０】
しかしながら、被監視室Ａから監視室Ｂに入射した光は、偏光層１３ａにより偏光方向がそろえられた光である。この所定の偏光方向を有する光は、偏光層１３ｂは通過しない。従って、被監視室Ａの被監視者は、被監視室Ｃの被監視者に視認されない。同様に、被監視室Ｃの被監視者は、被監視室Ａの被監視者に視認されない。このため、被監視室Ａ，Ｃのそれぞれの被監視者のプライバシーが好適に保護される。
【００３１】
また、監視室Ｂの光の一部は、ハーフミラー層１２ａ及び偏光層１３ａを透過して被監視室Ａに至る。このため、被監視室Ａの被監視者は、監視室Ｂの監視者を視認することができる。同様に、監視室Ｂの光の一部は、ハーフミラー層１２ｂ及び偏光層１３ｂを透過して被監視室Ｃに至る。このため、被監視室Ｃの被監視者は、監視室Ｂの監視者を視認することができる。
【００３２】
なお、監視者視認可能状態において、監視室Ｂの照明の明るさと、被監視室Ａ，Ｃの照明の明るさとは、異なっていてもよいし、同じであってもよい。監視室Ｂの照明の明るさと被監視室Ａ，Ｃの照明の明るさとを同じにすることによって、監視室Ｂからの良好な視認性と、被監視室Ａ，Ｃからの良好な視認性との両立を図ることができる。一方、監視室Ｂの照明を被監視室Ａ，Ｃの照明よりも明るくすることによって、被監視室Ａ，Ｃからの監視室Ｂの視認性をより良好にすることができる。監視室Ｂの照明を被監視室Ａ，Ｃの照明よりも暗くすることによって、監視室Ｂからの被監視室Ａ，Ｃの視認性をより良好にすることができる。このため、監視室Ｂ及び被監視室Ａ，Ｃの照明の明るさは、必要に応じ
て適宜調整すればよい。
【００３３】
次に、監視室Ｂの監視者から被監視室Ａ，Ｃの被監視者が視認可能である一方、被監視室Ａ，Ｃの被監視者から監視室Ｂの監視者が視認できない監視者視認不能状態とする場合について説明する。
【００３４】
監視者視認不能状態にするには、被監視室Ａ，Ｃの照明を明るくし、監視室Ｂの照明を暗くする。この場合も、監視者視認可能状態と同様に、被監視室Ａ，Ｃの光は、監視室Ｂに至る。このため、監視室Ｂから被監視室Ａ，Ｃが視認可能である。また、被監視室Ａ，Ｃ相互間は、視認不能である。
【００３５】
監視者視認不能状態においては、被監視室Ａ，Ｃから監視室Ｂは視認不能である。以下、このことについて詳細に説明する。監視者視認不能状態においても、上述の通り、被監視室Ａ，Ｃの光の一部は、監視室Ｂにも至る。このため、監視室Ｂもある程度の明るさを有する。よって、監視室Ｂのわずかな光の一部は、被監視室Ａ，Ｃに至る。しかしながら、監視室Ｂから被監視室Ａ，Ｃ側に向かう光のうちの大凡半分の光がハーフミラー層１２ａ、１２ｂによって監視室Ｂ側に反射され、かつ、一部の光は、偏光層１３ａ、１３ｂによって吸収される。従って、監視室Ｂから被監視室Ａ，Ｃに入射する光は非常にわずかである。また、被監視室Ａ，Ｃから監視室Ｂ側に向かう光のうちの大凡半分の光がハーフミラー層１２ａ、１２ｂによって被監視室Ａ，Ｃ側に反射される。このように、監視室Ｂから被監視室Ａ，Ｃに入射する光はごく僅かであり、かつ、被監視室Ａ，Ｃの光のハーフミラー層１２ａ、１２ｂにより被監視室Ａ，Ｃ側に反射された光は、その監視室Ｂからの入射光よりも非常に大きな光量を有する。従って、被監視室Ａ，Ｃからは監視室Ｂ内は実質的に視認不能である。
【００３６】
以上説明したように、本実施形態の監視室用窓板ユニット１によれば、監視者から被監視者が視認可能である一方、被監視者間は視認不能であり、かつ、監視者視認可能状態と監視者視認不能状態とが切り替え可能である。監視室Ｂを暗くしたときに監視者が視認されることをより効果的に抑制する観点からは、第１及び第２の窓板１０ａ、１０ｂのそれぞれの波長３８０ｎｍ〜７８０ｎｍにおける平均光透過率が１０％〜４０％の範囲内にあり、第１及び第２の窓板１０ａ、１０ｂの第１または第２のハーフミラー層１２ａ、１２ｂ側から視たときの波長３８０ｎｍ〜７８０ｎｍにおける平均光反射率が２０％〜８０％の範囲内にあることが好ましい。
【００３７】
以下、本発明を実施した好ましい形態の他の例について説明する。以下の説明において、上記実施形態と実質的に同様の機能を有する部材を同様の符号で参照し、説明を省略する。
【００３８】
（第２及び第３の実施形態）
図５は、第２の実施形態における第１の窓板１０ａの略図的断面図である。図６は、第３の実施形態における第１の窓板１０ａの略図的断面図である。
【００３９】
第２の実施形態では、ハーフミラー層１２ａの上に、接着剤層１５ａにより、保護層１６ａが接着されている。また、第３の実施形態では、窓板本体１１ａの上に接着剤層１５ａにより保護層１６ａが接着されており、保護層１６ａの窓板本体１１ａ側の表面の上にハーフミラー層１２ａが形成されている。第２及び第３の実施形態では、この保護層１６ａにより、窓板本体１１ａの一方側の表面が覆われている。また、接着剤層１４ａと窓板本体１１ａとの間に接着剤層１７ａにより窓板本体１１ａに接着された保護層１８ａが設けられている。この保護層１８ａにより、窓板本体１１ａの他方側の表面が覆われている。このため、窓板本体１１ａの表面を水分から効果的に保護することができる。従って、
鉛を含有し、表面に曇りが生じやすい窓板本体１１ａの表面に曇りが生じることを効果的に抑制することができる。
【００４０】
本実施形態における第２の窓板１０ｂは、図５に示す第１の窓板１０ａと実質的に同様の構成を有する。このため、窓板本体１１ｂの表面に曇りが生じることを効果的に抑制することができる。
【００４１】
窓板本体の表面に曇りが生じることをより効果的に抑制する観点からは、保護層は、水分透過率の低いものであることが好ましい。具体的には、保護層は、例えば、鉛を含まないガラスなどの無機材料や、樹脂などからなるものであることが好ましい。
【００４２】
なお、本実施形態では、ハーフミラー層１２ａの上に保護層１６ａが設けられている例について説明したが、ハーフミラー層の水分透過率が低い場合は、窓板本体のハーフミラー層側の表面を保護層で覆う必要は必ずしもない。
【符号の説明】
【００４３】
１…監視室用窓板ユニット
１０ａ…第１の窓板
１０ｂ…第２の窓板
１１ａ…第１の窓板本体
１１ｂ…第２の窓板本体
１２ａ…第１のハーフミラー層
１２ｂ…第２のハーフミラー層
１３ａ…第１の偏光層
１３ｂ…第２の偏光層
１４ａ、１４ｂ、１５ａ、１７ａ…接着剤層
１６ａ、１８ａ…保護層
【図１】
2012085946.tif 000003
【図２】
2012085946.tif 000004
【図３】
2012085946.tif 000005
【図４】
2012085946.tif 000006
【図５】
2012085946.tif 000007
【図６】
2012085946.tif 000008